(57)【要約】【課題】被検者が寝た状態の場合でも、検者が被検者の足側あるいは頭側に位置して検眼しても、被検眼の上下や左右眼を識別することのできる携帯用検眼装置を提供する。【解決手段】被検眼を検眼する光走査型光学系１００を内蔵した光走査型検眼鏡本体２と、この光走査型検眼鏡本体２を支持する把手部３とを備え、この把手部３を持って光走査型光学系１００によって被検眼を検眼する携帯用検眼装置１であって、被検眼の上下方向を判別する額当て部材４０及び上下検出スイッチ４５,４６と、被検眼の左右眼を判別するアイピース２０及び左右検出スイッチ３０,３１とを設けた。【選択図】  図１
2014113250.tif 000002
【特許請求の範囲】
【請求項１】
被検眼を検眼する検眼部を内蔵した手持ち式の検眼部本体を備え、前記検眼部によって被検眼を検眼する携帯用検眼装置であって、
被検眼の上下方向を判別する上下判別装置と、
被検眼の左右眼を判別する左右眼判別装置とを設けたことを特徴とする携帯用検眼装置。
【請求項２】
前記上下判別装置は、
被検者の額に当てるとともに検眼部本体の前面の上側と下側とに切換可能に配置される額当て部材と、この額当て部材の切換位置を検知する切換位置検知部材とを有する第１上下判別手段と、
被検眼を撮像する撮像手段と、この撮像手段が撮像した動画もしくは静止画から瞼が開く方向を検出する方向検出処理部とを有する第２上下判別手段と、
検眼部本体の前面に設けられるとともに、上下方向に向きが変えられる鼻当てパッドと、この鼻当てパッドの向きを検出する向き検出手段とを有する第３上下判別手段とのうちいずれか１つであり、
前記左右眼判別装置は、
被検眼の周囲に当てるとともに、検眼する左右眼によって向きを変えるアイピースと、このアイピースの向きを検知する向き検知部材とを有する第１左右眼判別手段と、
前記上下判別装置によって判別された上下と、眼底を撮像した眼底画像から抽出される特徴点の位置関係とから左右眼を判断する第２左右眼判別手段とのいずれかであることを特徴とする請求項１に記載の携帯用検眼装置。
【請求項３】
被検眼を検眼する検眼部を内蔵した手持ち式の検眼部本体を備え、前記検眼部によって被検眼を検眼する携帯用検眼装置であって、
被検眼の上下方向と左右眼とを判別する判別装置を設けたことを特徴とする携帯用検眼装置。
【請求項４】
前記判別装置は、
前記検眼部本体の前面に左右方向に移動可能に且つ上下が反転されるように反転可能に取り付けられるとともに、被検者の左右眼に対応した位置に測定用の２つの貫通穴を有し、２つの貫通穴の間の位置に被検者の鼻が入る鼻当て凹部が形成されたゴーグル部と、
このゴーグル部の左右方向の位置を検知する第１,第２検知部材と、
前記ゴーグル部が反転されたとき該ゴーグル部の左右方向の位置を検知する第３,第４検知部材とを有することを特徴とする請求項３に記載の携帯用検眼装置。
【請求項５】
被検眼を検眼する検眼部を内蔵した検眼部本体と、この検眼部本体を支持する筐体部とを備え、この筐体部を持って前記検眼部によって被検眼を検眼する携帯用検眼装置であって、
前記筐体部は、上下が定まるように検眼部本体の前面に被検者の左右眼に対応した位置に測定用の２つの貫通穴を有し、２つの貫通穴の間の位置に被検者の鼻が入る鼻当て部が形成されたゴーグル部を有し、上下逆に撮影ができないようになっていることを特徴とする携帯用検眼装置。
【請求項６】
被検眼を検眼する検眼部を内蔵した検眼部本体と、この検眼部本体を支持する筐体部とを備え、この筐体部を持って前記検眼部によって被検眼を検眼する携帯用検眼装置であって、
前記筐体部は、上下が定まるように検眼部本体の前面に被検者の左右眼に対応した位置に測定用の２つの貫通穴を有し、２つの貫通穴の間の位置に被検者の鼻が入る凹部が形成されたゴーグル部と、前記凹部に設けられた鼻当てパッドと、この鼻当てパッドに被検者の鼻が当てられたことを検知する接触検出手段とを有し、上下逆に撮影ができないようになっていることを特徴とする携帯用検眼装置。
【発明の詳細な説明】
【技術分野】
【０００１】
この発明は、手持ちで被検眼を検眼することのできる携帯用検眼装置に関する。
【背景技術】
【０００２】
従来から、グリップ部を有する手持ち型検眼装置が知られている（特許文献１参照）。
【０００３】
かかる手持ち型検眼装置は、本体の前面に設けた左右に移動可能なアームと、このアームの先端部に設けた鼻当て部とを有し、この鼻当て部を被検者の鼻に当てて、本体を左右に移動させることで被検眼の左右を判断するようになっている。
【先行技術文献】
【特許文献】
【０００４】
【特許文献１】特開平９−２７６２２５号公報
【発明の概要】
【発明が解決しようとする課題】
【０００５】
しかしながら、このような手持ち型検眼装置にあっては、被検者が寝た状態の場合、検者が足側に位置して測定する場合には問題は生じないが、被検者の頭側に位置して被検眼を測定する場合、本体の上下方向に対して被検眼の上下方向が逆になるため、被検者の左右眼や上下方向も分からなくなってしまうという問題があった。
【０００６】
この発明の目的は、被検者が寝た状態の場合でも、検者が被検者の足側あるいは頭側に、さらには右手側や左手側に位置して検眼しても、被検眼の上下や左右眼を識別することのできる携帯用検眼装置を提供することにある。
【課題を解決するための手段】
【０００７】
請求項１の発明は、被検眼を検眼する検眼部を内蔵した手持ち式の検眼部本体を備え、前記検眼部によって被検眼を検眼する携帯用検眼装置であって、
被検眼の上下方向を判別する上下判別装置と、
被検眼の左右眼を判別する左右眼判別装置とを設けたことを特徴とする。
【０００８】
請求項５の発明は、被検眼を検眼する検眼部を内蔵した検眼部本体と、この検眼部本体を支持する筐体部とを備え、この筐体部を持って前記検眼部によって被検眼を検眼する携帯用検眼装置であって、
前記筐体部は、上下が定まるように検眼部本体の前面に被検者の左右眼に対応した位置に測定用の２つの貫通穴を有し、２つの貫通穴の間の位置に被検者の鼻が入る鼻当て部が形成されたゴーグル部を有し、上下逆に撮影ができないようになっていることを特徴とする携帯用検眼装置。
【０００９】
請求項６の発明は、被検眼を検眼する検眼部を内蔵した検眼部本体と、この検眼部本体を支持する筐体部とを備え、この筐体部を持って前記検眼部によって被検眼を検眼する携帯用検眼装置であって、
前記筐体部は、上下が定まるように検眼部本体の前面に被検者の左右眼に対応した位置に測定用の２つの貫通穴を有し、２つの貫通穴の間の位置に被検者の鼻が入る凹部が形成されたゴーグル部と、前記凹部に設けられた鼻当てパッドと、この鼻当てパッドに被検者の鼻が当てられたことを検知する接触検出手段とを有し、上下逆に撮影ができないようになっていることを特徴とする。
【発明の効果】
【００１０】
この発明によれば、被検者が寝た状態の場合でも、検者が被検者の足側あるいは頭側に、さらには右手側や左手側に位置して測定しても、被検眼の上下や左右眼を識別することができる。
【図面の簡単な説明】
【００１１】
【図１】この発明に係る携帯用眼科装置である光走査型検眼鏡の外観を示した側面図である。
【図２】図１に示す光走査型検眼鏡の平面図である。
【図３】図１に示す光走査型検眼鏡の正面図である。
【図３Ａ】光走査型検眼鏡のアイピースを回動させた状態を示した説明図である。
【図３Ｂ】光走査型検眼鏡の額当て部材を回動させた状態を示した説明図である。
【図４】図１に示す光走査型検眼鏡の光走査型光学系の主要部の構成を概略的に示した光学配置図である。
【図５】図１に示す光走査型検眼鏡の制御系の構成を示したブロック図である。
【図６】アイピースと額当て部材を回動させた状態を示した説明図である。
【図７】図６に示す光走査型検眼鏡の平面図である。
【図８】光スイッチでアイピースの回動を検出する説明図である。
【図９】可変抵抗でアイピースの回動を検出する説明図である。
【図１０】額当て部材の他の例を示した説明図である。
【図１１】第２実施例の光走査型検眼鏡の側面図である。
【図１２】第２実施例の光走査型検眼鏡の正面図である。
【図１３】第２実施例の制御系の構成を示したブロック図である。
【図１４】第３実施例の光走査型検眼鏡の正面図である。
【図１５】ゴーグル部を断面にした第３実施例の光走査型検眼鏡の側面図である。
【図１６】ゴーグル部を平断面にした第３実施例の光走査型検眼鏡の平面図である。
【図１７】第３実施例の光走査型検眼鏡の制御系の構成を示したブロック図である。
【図１８】ゴーグル部を右方へ移動した場合を示した説明図である。
【図１９】ゴーグル部を反転させた場合を示した説明図である。
【図２０】図１９に示すゴーグル部を右方へ移動させた場合を示した説明図である。
【図２１】第４実施例の光走査型検眼鏡を示した正面図である。
【図２２】図２１に示す光走査型検眼鏡の側面図である。
【図２３】図２１に示す光走査型検眼鏡の筐体部を右方向に移動させた状態を示した説明図である。
【図２４】第５実施例の光走査型検眼鏡を示した説明図である。
【発明を実施するための最良の形態】
【００１２】
以下、この発明に係る携帯用眼科装置の実施の形態である実施例を図面に基づいて説明する。
【実施例】
【００１３】
［第１実施例］
図１ないし図３に示す携帯用の検眼装置の一つである光走査型検眼鏡１を示す。この光走査型検眼鏡１は、手持ち式の光走査型検眼鏡本体（検眼部本体）２と、光走査型検眼鏡本体２の底面に取り付けられるとともに光走査型検眼鏡本体２を支持する把手部３と、光走査型検眼鏡本体２の背面に設けられた表示部４とを備えている。
【００１４】
光走査型検眼鏡本体２内には眼底を走査して撮像する光走査型光学系（検眼部）１００が設けられており、この光走査型光学系１００で撮像された眼底像が表示部４に表示されるようになっている。
【００１５】
把手部３の前面３Ａの上部には、撮影ボタン５が設けられており、この撮影ボタン５が押されると光走査型光学系１００によって眼底像が撮像されるようになっている。
【００１６】
光走査型検眼鏡本体２の前面２Ａには、光走査型光学系１００の鏡筒（図示せず）の先端部１００Ａが突出している。この先端部１００Ａにはアイピース２０が回動可能に装着されている。また、光走査型検眼鏡本体２の前面２Ａには、アイピース２０の外側の位置に額当て部材４０が鏡筒の軸線周りに回動可能に設けられている。
［アイピース］
アイピース２０は、筒状のアイピース本体２１を有し、アイピース本体２１の先端部の片側には、顔の側方に当接する突出部２２が連続形成されている。図１ないし図３においては、被検者の右眼を測定する場合を示すものであり、アイピース２０の先端部を右眼の周囲に当てるとともに突出部２２を被検者の顔の右側の側面側に当てるものである。
【００１７】
この図示のアイピース２０の状態では、被検者の左眼の眼底を撮像しようとすると、被検者の鼻側にアイピース２０の突出部２２が当たり、被検者の左眼の眼底を撮像することができない状態となっている。
【００１８】
被検者の左眼の眼底を撮像する場合には、図３Ａに示すように、アイピース２０を１８０度回動させて、被検者に向かって右側に位置させる。
【００１９】
アイピース２０の後端には、突出部２２と同じ位置側に突起２３が設けられており、この突起２３は光走査型検眼鏡本体２の前面２Ａに設けた図示しない半円形のスリットを介して光走査型検眼鏡本体２内に進入している。光走査型検眼鏡本体２内には突起２３を検出する右検出スイッチ３０と左検出スイッチ３１とが設けられている。
【００２０】
右検出スイッチ３０は、アイピース２０が図１ないし図３に示す位置に回動さているとき突起２３を検出し、左検出スイッチ３１はアイピース２０が図３Ａの位置に回動されたとき検出する。すなわち、被検者の右眼を撮影する場合、右検出スイッチ３０がアイピース２０の突起２３を検出し、被検者の左眼を撮影する場合、左検出スイッチ３１がアイピース２０の突起２３を検出する。
【００２１】
そして、アイピース２０と左右検出スイッチ３０,３１とで第１左右眼判別手段が構成される。
【００２２】
アイピース２０は、図２及や図３Ａに示す位置へ回動移動させる、その位置に図示しないクリック機構により固定されるようになっている。
［額当て部材］
額当て部材４０は、図１及び図３に示すように、アイピース２０と同心円状の環状部材４１と、この環状部材４１から前方（図１において左側）へ突出するとともに所定の幅（図３において左右方向の長さ）を有する額当て部４２とを有している。環状部材４１の後端（図１において右端）の上部（図１において）には突起４３が形成され、この突起４３は、光走査型検眼鏡本体２の前面２Ａに設けた半円形のスリットを介して光走査型検眼鏡本体２内に進入している。光走査型検眼鏡本体２内には、突起４３を検出する上検出スイッチ４５と下検出スイッチ４６とが設けられている。
【００２３】
上検出スイッチ４５は、額当て部材４０が図１ないし図３に示す位置に回動されているとき突起４３を検出し、下検出スイッチ４６は額当て部材４０が図３Ｂに示す位置に回動されたとき突起４３を検出する。
【００２４】
額当て部材４０は、図１や図３Ｂに示す位置に回動移動させると、その位置に図示しないクリック機構により固定されるようになっている。
［光走査型光学系］
光走査型光学系１００は、図４に示すように、ＲＧＢのレーザ光を発光するレーザダイオード１１０Ｒ,１１０Ｇ,１１０Ｂと赤外光のレーザ光を発光する赤外レーザダイオード１１０Ｉなどとを有する射出光学系１１０と、射出光学系１１０から射出された各レーザ光を２次元方向に走査する２次元走査部材１２０と、対物レンズ１３１などを有するとともに２次元走査部材１２０によって走査された各レーザ光を被検眼Ｅの眼底Ｅｒに照射していく照射光学系１３０と、眼底Ｅｒで反射した反射レーザ光を受光する受光素子１４０Ｒ,１４０Ｇ,１４０Ｂ,１４０Ｉなどを有する受光光学系１４０とを有している。
【００２５】
受光素子１４０Ｒは赤色のレーザ光を受光し、受光素子１４０Ｇは緑色のレーザ光を受光し、受光素子１４０Ｂは青色のレーザ光を受光し、受光素子１４０Ｉは赤外レーザ光を受光する。
［制御系］
図５に光走査型検眼鏡１の制御系の構成を示したブロック図を示す。図５におて、２００は上下検出スイッチ４５,４６及び左右検出スイッチ３１,３０の検出に基づいて、左右眼のどちらを撮像したかと、光走査型検眼鏡本体２の上側（図１において上側）を被検眼の上側（額側）にして撮像されたか、光走査型検眼鏡本体２の上側を被検眼の下側（あご側）にして撮像されたか否かを判断する判断処理部である。
【００２６】
そして、上検知スイッチ４５と下検知スイッチ４６と判断処理部２００とで上下判別装置が構成され、上下検知スイッチ４５,４６と左右検知スイッチ３０,３１と判断処理部２００とで左右眼判別装置が構成される。
【００２７】
また、上検知スイッチ４５と下検知スイッチ４６とで切換位置検知部材が構成され、この切換位置検知部材と額当て部材４０とで第１上下判別手段が構成される。
【００２８】
２０１は画像構築装置であり、この画像構築装置２０１は、眼底Ｅｒのレーザ光による走査に同期して各受光素子１４０Ｒ,１４０Ｇ,１４０Ｂ,１４０Ｉの受光量に応じて眼底画像を構築していくものであり、この構築した眼底画像は画像メモリ２０２に記憶される。
【００２９】
２０３は画像処理部であり、この画像処理部２０３は、判断処理部２００が判断した左右眼及び上下方向に応じて、画像メモリ２０２に構築された眼底画像を、光走査型検眼鏡本体２の上側を被検眼の上側にして撮像した場合の眼底画像となるように画像処理して画像メモリ２０４に記憶させる。
【００３０】
画像メモリ２０４に記憶された眼底画像は、光走査型検眼鏡本体２の表示部４に表示されるとともに、送信部２０５によって図示しないインターネットや電話回線を介して例えば診察所へ送信される。また、図示しないコネクタを把手部３の下端に接続することにより、スマートホン（図示せず）に表示させることができるようになっている。
［動  作］
次に、上記のように構成される光走査型検眼鏡１の動作について説明する。
【００３１】
被検者が寝た状態で被検者の頭側から右眼の眼底を撮像する場合、図６及び図７に示すように、アイピース２０及び額当て部材４０を回動させる。この回動により、左検出スイッチ３１がアイピース２０の突起２３を検出し、下検出スイッチ４６が額当て部材４０の突起４３を検出する。
【００３２】
そして、光走査型検眼鏡１の把手部３を手で持って額当て部材４０の額当て部４２を被検者の額に当て、アイピース２０を被検者の右眼の周囲に当てる。このとき、アイピース２０の突出部２２が被検者の顔の右側の側面に当接することになる。
【００３３】
次に、被検眼の位置に合わせて装置のアライメントを行い、被検眼の視度に合わせてフォーカスを行う。
【００３４】
アライメントとフォーカスが完了したら把手部３の撮影ボタン５を押す。撮影ボタン５が押されると、光走査型光学系１００の射出光学系１１０から発光された各レーザ光が２次元走査部材１２０によって被検眼Ｅの眼底Ｅｒ上に走査されていく。
【００３５】
眼底Ｅｒで反射した反射レーザ光は、照射光学系１３０及び２次元走査部材１２０を介して受光光学系１４０に達し、受光光学系１４０の受光素子１４０Ｒ,１４０Ｇ,１４０Ｂ,１４０Ｉに受光されていく。
【００３６】
画像構築装置２０１は、２次元走査部材１２０によるレーザ光の走査に同期して受光光学系１４０の受光素子１４０Ｒ,１４０Ｇ,１４０Ｂ,１４０Ｉの受光量に基づいて眼底画像を構築していき、この構築された眼底画像が画像メモリ２０２に記憶される。
【００３７】
画像メモリ２０２には、図５に示す眼底画像Ｅｒａが構築されて記憶されることになり、眼底画像が撮像されることになる。この場合、被検者の右眼を被検者の頭側から撮像したので、乳頭像Ｎが眼底画像Ｅｒａの左上に形成される。
【００３８】
一方、図５に示す判断処理部２００は、左検出スイッチ３１及び下検出スイッチ４６が突起２３,４３を検出しているので、右眼の眼底を被検者の頭側から撮像していると判断する。
【００３９】
画像処理部２０３は、判断処理部２００の判断に基づいて、画像メモリ２０２の眼底画像Ｅｒａを、光走査型検眼鏡本体２の上側を被検眼の上側にして撮像した場合の眼底画像となるように画像処理する。すなわち、眼底画像Ｅｒａを１８０度回転させた画像にして画像メモリ２０４に記憶させる。つまり、眼底画像Ｅｒａの乳頭像Ｎ１は右側の下側に位置した眼底画像Ｅｒａ´にされて画像メモリ２０４に記憶されることになる。
【００４０】
画像メモリ２０２に記憶されている眼底画像Ｅｒａにマスクの切欠きがない場合には、眼底画像Ｅｒａ´に切欠きを示す切欠像Ｍｇを加える。あるいは、「右眼」や「左眼」を示す「左」「右」の文字を眼底画像Ｅｒａ´に付加させる。
【００４１】
送信部２０５は、画像メモリ２０４に記憶された眼底画像Ｅｒａ´をインターネットや電話回線を介して診察所などへ送信する。また、画像メモリ２０４に記憶された眼底画像Ｅｒａ´は光走査型検眼鏡本体２の表示部４に表示される。この表示は、眼底画像Ｅｒａ´の上部が表示部４の上部側となるように表示される。
【００４２】
被検者が寝た状態で被検者の頭側から左眼の眼底を撮像する場合は、額当て部材４０を図６に示す位置にしたまま、アイピース２０だけを図２に示す位置へ回動させる。これにより、右検出スイッチ３０がアイピース２０の突起２３を検出する。下検出スイッチ４６は額当て部材４０の突起４３を検出している。
【００４３】
そして、上記と同様にして左眼の眼底画像が画像メモリ２０２に構築されていく。判断処理部２００は、右検出スイッチ３０がアイピース２０の突起２３を検出し、下検出スイッチ４６が額当て部材４０の突起４３を検出しているので、左眼の眼底を被検者の頭側から撮像していると判断する。
【００４４】
画像処理部２０３は、判断処理部２００の判断に基づいて、上記と同様に画像メモリ２０２に構築された眼底画像（図示せず）を１８０度回転させた画像にして画像メモリ２０４に記憶させる。
【００４５】
画像メモリ２０４に記憶される眼底画像（図示せず）は、左眼であることにより図５に示す眼底画像Ｅｒａ´の乳頭Ｎ１が左側の下側に位置する像となる。画像メモリ２０４に記憶された眼底画像は光走査型検眼鏡本体２の表示部４に表示され、また、送信部２０５によりインターネットや電話回線を介して診察所などへ送信されることになる。
【００４６】
被検者の足側から被検眼を撮像する場合、すなわち、光走査型検眼鏡本体２の上側（図１において上側）を被検眼の上側（額側）にして撮像する場合には、図１ないし図３に示す位置へ額当て部材４０を回動させる。この回動により、上検出スイッチ４５が額当て部材４０の突起４３を検出する。
【００４７】
また、右眼を撮像する場合には、アイピース２０を図１ないし図３に示す位置へ回動させる。この回動により、右検出スイッチ３０がアイピース２０の突起２３を検出する。
【００４８】
判断処理部２００は、右検出スイッチ３０が突起２３を検出し、上検出スイッチ４５が突起４３を検出していることにより、右眼の眼底を被検者の足側から、すなわち、光走査型検眼鏡本体２の上側を被検眼の上側にして撮像していると判断する。画像処理部２０３は、判断処理部２００が被検者の足側から撮像していると判断したので、画像メモリ２０２に構築された画像をそのまま画像メモリ２０４に転送することになるが、上述のように画像メモリ２０２に記憶されている眼底画像（図示せず）にマスクの切欠きがない場合には、眼底画像に切欠きを示す切欠像Ｍｇ（図５参照）を追加させるか、あるいは、「右眼」や「左眼」を示す「左」「右」の文字を眼底画像に付加させる。
【００４９】
画像メモリ２０４に記憶された眼底画像は、光走査型検眼鏡本体２の表示部４に表示される。また、送信部２０５によりインターネットや電話回線を介して診察所などへ送信されることになる。
【００５０】
左眼を被検者の足側から撮像する場合も上記と同様なのでその説明は省略する。
【００５１】
このように、判断処理部２００は、左右検出スイッチ３１,３０及び上下検出スイッチ４５,４６の検出に応じて、構築（撮像）された眼底画像が左右のどちらの眼か、また、被検者の頭側から撮像されたものか否かを判断し、この判断に応じて画像処理部２０３が、画像メモリ２０２に構築された眼底画像（図示せず）を１８０度回転させたり、その眼底画像に「左」「右」の文字や切欠像Ｍｇを追加したりして画像メモリ２０４に記憶させるので、被検者の頭側から眼底を撮像しても、また被検者の足側から眼底を撮影しても、さらに検者が被検者の右手側や左手側に位置して眼底を撮影しても、眼底の上側が表示部４の上部側となるように常に表示されるとともに、「左」「右」の文字や切欠像Ｍｇが表示される。このため、検者は、迷わずに被検眼の上下や左右眼を識別することができることになる。
【００５２】
上記実施例では、アイピース２０の突起２３を左右検出スイッチ３０,３１で検出するが、この左右検出スイッチ３０,３１はマイクロスイッチでもよく、また、図８に示すように、フォトインタラプタＨＷでもよい。このフォトインタラプタＨＷは、相対向した発光ダイオードＨＷａと受光ダイオードＨＷｂとを有し、発光ダイオードＨＷａと受光ダイオードＨＷｂとの間にアイピース２０に設けた遮光板２５が位置したとき、受光ダイオードＨＷｂが受光する発光ダイオードＨＷａの光を遮光するようにして、遮光板２５を検知するようにしてもよい。
【００５３】
また、図９に示すように、アイピース本体２１の後部の外周部にギアＫ１を形成し、このギアＫ１に噛合するギアＫ２を設け、このギアＫ２の回転を可変抵抗器２５０の抵抗値で求め、この抵抗値によってアイピース２０の回動位置を検出してもよい。
【００５４】
上記実施例では、額当て部材４０を軸線回りに回動させて額当て部材４０の額当て部４２の位置を切り替えているが、図１０に示すように、リンク機構３００を設けて、上下に配置した額当て部３０１,３０２をどちらか一方を光走査型検眼鏡本体２の前面２Ａから突出するようにしてもよい。なお、図１０において、アイピース２０は省略してある。
［第２実施例］
図１１及び図１２は第２実施例の光走査型検眼鏡５００を示す。この光走査型検眼鏡５００は、第１実施例の光走査型検眼鏡１の額当て部材４０を省略したものであり、この額当て部材４０の替わりに図１３に示すように画像メモリ２１０と画像処理回路（方向検出処理部）２１１とを設けたものである。
【００５５】
そして、光走査型光学系１００と画像構築装置２０１とで撮像手段が構成される。また、撮像手段と画像処理回路２１１とで第２上下判別手段が構成される。
【００５６】
画像メモリ２１０は、被検者に瞬きをしてもらい、この瞬きをしたときの前眼部像もしくは眼底像を画像構築装置２０１で構築していき、この構築した画像を順次記憶して動画像として記憶していくものである。被検者の瞬きは、眼底を撮像する前でも後でもよい。
【００５７】
画像処理回路２１１は、画像構築装置２０１に記憶された動画像を基にして瞼の開く方向を検出する。この検出する方向が被検者の額側となる。この検出した方向によって、判断処理部２００が被検者の頭側から撮像されたものか否かを判断する。例えば、画像メモリ２０２において、上から下に瞼が開くものであれば、被検者の頭側から撮像されたものと判断する。
【００５８】
上記のように瞬きの動きをとらえる動画によって被検眼の上下方向を判断するが、半眼の状態で撮像された静止画から、瞼で塞がっている方を上側（額側）と判定するようにしてもよい。
【００５９】
判断した後の動作は、第１実施例と同様なのでその動作の説明は省略する。
【００６０】
第２実施例では、アイピース２０を用いて左右眼を判断するようにしているが、瞼の開く方向と、画像メモリ２０２に構築される眼底画像Ｅｒａの乳頭像Ｎや黄斑像（図示せず）の特徴点の位置関係や、血管の広がり方などの特徴点の位置関係から左右眼を判定するようにしてもよい。この場合、画像メモリ２０２に構築される眼底画像Ｅｒａから乳頭像Ｎの位置を求める乳頭位置検出回路（図示せず）を設ける。この乳頭位置検出回路と画像処理回路２１１とで第２左右眼判別手段が構成される。なお、画像処理回路２１１の替わりに、額当て部材４０を検出する上下検出スイッチ４５,４６を用いてもよく、後述する鼻当てパッドの向きを検出する検出スイッチでもよい。
［第３実施例］  
図１４ないし図１６は、第３実施例の光走査型検眼鏡６００を示す。この光走査型検眼鏡６００は、光走査型検眼鏡本体２と、この光走査型検眼鏡本体２の前面２Ａに左右方向に移動可能に且つ鏡筒の先端部１００Ａ回りに回動可能なゴーグル部６１０とを備えている。
【００６１】
ゴーグル部６１０は、前面６１０Ａに被検者の鼻を当てる凹状の鼻当て部６１１と、被検者の左右眼を当てる眼当て部６１２,６１３とを有している。眼当て部６１２,６１３には貫通穴６１２Ａ,６１３Ａが形成されている。
【００６２】
ゴーグル部６１０の後面６１０Ｂには、左右方向に延びた溝６１４が形成され、この溝６１４は貫通穴６１２Ａ,６１３Ａと連通している。また、溝６１４内には鏡筒の先端部１００Ａが挿入されており、この先端部１００Ａが溝６１４内に沿って相対的に移動可能となっている。
【００６３】
また、ゴーグル部６１０は、先端部１００Ａ回りに回動可能となっており、図１９に示すように、反転できるようになっている。すなわち、被検者の頭側から眼底を撮像する場合に、ゴーグル部６１０を図１９及び図２０に示すように反転させる。
【００６４】
ゴーグル部６１０の後面の中央の上部には、図１４及び図１５に示すように磁石６２０が設けられている。
【００６５】
他方、光走査型検眼鏡本体２の前面２Ａの上部には、磁石６２０を検知するホール素子からなる第１,第２検知部材６２１,６２２が設けられている。また、光走査型検眼鏡本体２の前面２Ａの下部には、磁石６２０を検知するホール素子からなる第３,第４検知部材６２３,６２４が設けられている。
【００６６】
そして、ゴーグル部６１０と磁石６２０と第１〜第４検知部材とで、被検眼の上下方向と左右眼を判別する判別装置が構成される。
【００６７】
ゴーグル部６１０が図１４に示す位置に移動しているとき、第１検知部材６２１がゴーグル部６１０の磁石６２０を検知し、このときゴーグル部６１０の貫通穴６１３Ａに鏡筒の端部１００Ａが対向する。ゴーグル部６１０が図１８に示す位置に移動しているとき、第２検知部材６２２がゴーグル部６１０の磁石６２０を検知し、このときゴーグル部６１０の貫通穴６１２Ａに鏡筒の端部１００Ａが対向する。
【００６８】
ゴーグル部６１０が反転されて図１９に示す位置に移動されているとき、第３検知部材６２３がゴーグル部６１０の磁石６２０を検知し、このときゴーグル部６１０の貫通穴６１２Ａに鏡筒の端部１００Ａが対向する。ゴーグル部６１０が図２０に示す位置へ移動されているとき、第４検知部材６２４がゴーグル部６１０の磁石６２０を検知し、このときゴーグル部６１０の貫通穴６１３Ａに鏡筒の端部１００Ａが対向する。
【００６９】
そして、図１７に示す判断処理部２２０は、第３検知部材６２３または第４検知部材６２４がゴーグル部６１０の磁石６２０を検知したとき、被検者の頭側から眼底を撮像したと判断する。また、第３検知部材６２３が磁石６２０を検知したときには左眼の眼底を撮像したと判断し、第４検知部材６２４が磁石６２０を検知したときには右眼の眼底を撮像したと判断する。
【００７０】
また、判断処理部２２０は、第１検知部材６２１または第２検知部材６２２がゴーグル部６１０の磁石６２０を検知したとき、被検者の足側から眼底を撮像したと判断するものであり、第１検知部材６２１が磁石６２０を検知したときには右眼の眼底を撮像したと判断し、第２検知部材６２２が磁石６２０を検知したときには左眼の眼底を撮像したと判断する。他の動作は、第１実施例と同様なのでその説明は省略する。
【００７１】
なお、ゴーグル部６１０は、図１４と図１８と図１９と図２０とに移動されたとき、その位置に図示しないクリック機構により固定されるようになっている。
【００７２】
第３実施例では、ゴーグル部６１０を使用して被検眼の上下方向や左右眼を判別するようにしているが、被検者の鼻に当てる鼻当てパッド（図示せず）を下向きと上向きに向きが変えられるように設け、この鼻当てパッドの向きを検知する検知部材を設け、この検知部材と、アイピース２０の向きを検出する左右検出スイッチ３０,３１や乳頭位置検出回路などとで被検眼の上下方向や左右眼を判別するようにしてもよい。
【００７３】
上記の第１実施例ないし第３実施例は、いずれも光走査型検眼鏡本体２を把手部３で支持するようにしているが、この把手部３を省略して光走査型検眼鏡本体２を手で持って眼底を撮影するようにしてもよい。この場合、撮影ボタン５は光走査型検眼鏡本体２に設ける。
［第４実施例］
図２１及び図２２は第４実施例の光走査型検眼鏡１０００を示す。この光走査型検眼鏡１０００は、把手部３を設けていない光走査型検眼鏡本体２と、この光走査型検眼鏡本体２の前面２Ａに左右方向に移動可能な筐体部１１００とを備えている。筐体部１１００の上部には撮影ボタン５が設けられている。
【００７４】
筐体部１１００はゴーグル部１６１０を有しており、ゴーグル部１６１０は、前面１６１０Ａに被検者の鼻を当てる凹状の鼻当て部１６１１と、被検者の左右眼を当てる眼当て部１６１２,１６１３とを有している。眼当て部１６１２,１６１３には貫通穴６１２Ａ,６１３Ａが形成されている。
【００７５】
ゴーグル部１６１０の後面１６１０Ｂには、左右方向に延びた溝１６１４が形成され、この溝１６１４は貫通穴６１２Ａ,６１３Ａと連通している。また、溝１６１４内には鏡筒の先端部１００Ａが挿入されており、この先端部１００Ａが溝１６１４内に沿って相対的に移動可能となっている。すなわち、筐体部１１００に対して光走査型検眼鏡本体２が左右に移動可能となっている。また、筐体部１１００は光走査型検眼鏡本体２に対して反転できないようになっている。
【００７６】
筐体部１１００が図２１に示す位置に移動しているとき、ゴーグル部１６１０の貫通穴６１３Ａに鏡筒の端部１００Ａが対向する。筐体部１１００が図２３に示す位置に移動しているとき、ゴーグル部１６１０の貫通穴６１２Ａに鏡筒の端部１００Ａが対向する。
【００７７】
この第４実施例の光走査型検眼鏡１０００は、筐体部１１００を持って被検眼の眼底を撮影するものであり、筐体部１１００の反転が出来ないので、被検者の頭側から眼底を撮像しても、また被検者の足側から眼底を撮影しても、さらに検者が被検者の右手側や左手側に位置して眼底を撮影しても、眼底の上側が表示部４の上部側となるように常に表示されるようにすることができる。また、眼底の上下方向が分かるので、眼底画像Ｅｒａの乳頭像Ｎ（図５参照）や黄斑像（図示せず）の特徴点の位置関係や血管の広がり方などの特徴点の位置関係から左右眼を判定することができる。
［第５実施例］
図２４は第５実施例の光走査型検眼鏡２０００を示したものである。この光走査型検眼鏡２０００は、鼻当て部１６１１に鼻が当てられたことを検知する接触センサＳ１を設けたものである。この接触センサＳ１の接触部Ｓ１ａが鼻当て部１６１１内に突出しており、この接触部Ｓ１ａが被検者の鼻に当てられるとゴーグル部１６１０内に引き込んで接触センサＳ１がオンするようになっている。この接触センサＳ１がオンすると、撮影ボタン５の操作によって眼底の撮影が可能となる。接触部Ｓ１ａは下方（図２４において）に付勢されており、被検者の鼻が鼻当て部１６１１に当てられないとき図２４に示すように下方に突出するようになっている。他は、第４実施例の動作と同様なのでその説明は省略する。
【００７８】
上記実施例は、いずれも光走査型検眼鏡について説明したが、これに限らず他の眼科撮影装置であってもよい。
【００７９】
この発明は、上記実施例に限られるものではなく、特許請求の範囲の各請求項に係る発明の要旨を逸脱しない限り、設計の変更や追加等は許容される。
【符号の説明】
【００８０】
１          光走査型検眼鏡
２          光走査型検眼鏡本体
３          把手部
２０        アイピース
３０        右検出スイッチ
３１        左検出スイッチ
４０        額当て部材
４５        上検出スイッチ
４６        下検出スイッチ
１００      光走査型光学系
【図１】
2014113250.tif 000003
【図２】
2014113250.tif 000004
【図３】
2014113250.tif 000005
【図３Ａ】
2014113250.tif 000006
【図３Ｂ】
2014113250.tif 000007
【図４】
2014113250.tif 000008
【図５】
2014113250.tif 000009
【図６】
2014113250.tif 000010
【図７】
2014113250.tif 000011
【図８】
2014113250.tif 000012
【図９】
2014113250.tif 000013
【図１０】
2014113250.tif 000014
【図１１】
2014113250.tif 000015
【図１２】
2014113250.tif 000016
【図１３】
2014113250.tif 000017
【図１４】
2014113250.tif 000018
【図１５】
2014113250.tif 000019
【図１６】
2014113250.tif 000020
【図１７】
2014113250.tif 000021
【図１８】
2014113250.tif 000022
【図１９】
2014113250.tif 000023
【図２０】
2014113250.tif 000024
【図２１】
2014113250.tif 000025
【図２２】
2014113250.tif 000026
【図２３】
2014113250.tif 000027
【図２４】
2014113250.tif 000028